(57)【要約】【課題】タッチパネルに対する入力操作により画像表示機器の姿勢が変化することを抑えることができる画像表示機器の制御装置を提供する。【解決手段】画面角度検出手段１００は画面角度θgを検出し、入力領域決定手段１０６は、画面角度検出手段１００により検出された画面角度θgに基づいて入力許容領域を決定するとともに、入力領域をその入力許容領域内において決定する。従って、画像表示面１８上においてスタイラスペン（入力操作子）２８による接触箇所が上記画面角度θgに応じて制限され、タッチパネル１２に対する入力操作により画像表示機器１０の姿勢が変化することを抑えることが可能である。その結果として、例えば、画像表示機器１０の姿勢変化による誤入力が発生し難くなる。【選択図】図１０
2011154479.tif 000002
【特許請求の範囲】
【請求項１】
画像を表示するとともに利用者が操作する入力操作子が画像表示面へ接触したことを検出するタッチパネルと、該画像表示面が載置面に対してなす画面角度を固定し且つ該タッチパネルを支持するタッチパネル支持部とを備えた画像表示機器の制御装置であって、
前記画面角度を検出する画面角度検出手段と、
該画面角度検出手段により検出された該画面角度に基づいて前記画像表示面の範囲内で前記入力操作子による入力を受け付ける入力領域を設定可能な入力許容領域を決定するとともに、該入力領域を該入力許容領域内において決定する入力領域決定手段と
を、含むことを特徴とする画像表示機器の制御装置。
【請求項２】
前記入力領域決定手段は、前記入力領域の上端位置を、予め定められた下限位置を下限として前記画面角度が小さいほど高くする
ことを特徴とする請求項１に記載の画像表示機器の制御装置。
【請求項３】
前記入力領域決定手段は、前記画面角度が予め定められた画面角度判定値以下である場合には前記入力許容領域の上端位置を前記画像表示面の上端位置とする
ことを特徴とする請求項１または２に記載の画像表示機器の制御装置。
【請求項４】
前記タッチパネル支持部は、前記タッチパネルを備える本体部と前記画面角度に応じた角度で接続され、且つ前記載置面と接触することにより該タッチパネルを支持するものであり、
前記入力領域決定手段は、前記本体部の前記タッチパネル支持部との接続部が前記画面角度の最大時に示す高さ以上に、前記入力許容領域の上端位置を設定する
ことを特徴とする請求項１乃至３の何れか１項に記載の画像表示機器の制御装置。
【請求項５】
画像を表示するとともに利用者が操作する入力操作子が画像表示面へ接触したことを検出するタッチパネルと、該画像表示面が載置面に対してなす画面角度を固定し且つ該タッチパネルを支持するタッチパネル支持部とを有する画像表示機器に対し、前記画像表示面の範囲内で前記入力操作子による入力を受け付ける入力領域を決定するための画像表示機器制御システムであって、
前記画像表示機器は前記画面角度を検出する画面角度検出手段を有するとともに、
該画面角度検出手段により検出された該画面角度に基づいて前記入力領域を設定可能な入力許容領域を決定するとともに、該入力領域を該入力許容領域内において決定する入力領域決定手段を有し且つ該決定された入力領域に基づく画像を前記タッチパネルに表示させるサーバを備える
ことを特徴とする画像表示機器制御システム。
【発明の詳細な説明】
【技術分野】
【０００１】
本発明は、タッチパネルを備えた画像表示機器において、その画像表示面におけるスタイラスペン等による入力を受け付ける入力領域の制御に関する。
【背景技術】
【０００２】
筐体とその筐体に対し回動可能に支持された表示装置本体とを備えた画像表示機器が知られている。例えば、特許文献１の情報処置装置がそれである。その特許文献１の情報処置装置では、前記表示装置本体はそれの正面が前記筐体の上面を覆う閉塞位置とその筐体の上面が露出される開放位置との間で回動することができる。そして、前記情報処置装置は、前記筐体の上面を基準面として前記表示装置本体の正面がその基準面に対しなす角度に応じて、その表示装置本体の正面に設けられた表示部に表示される画像イメージの向きを変更する。
【先行技術文献】
【特許文献】
【０００３】
【特許文献１】特開２００５−９２７０２号公報
【発明の概要】
【発明が解決しようとする課題】
【０００４】
近年、画像表示機器の表示部として、スタイラスペンの接触等により入力操作可能なタッチパネルがよく用いられる。そして、その画像表示機器としては、利用者が手に持って使用するものもあるが、特許文献１の情報処置装置と同様に机上等に載置して使用するものがよく知られている。また、机上等に載置して使用するタッチパネルを備えた画像表示機器においては、画像表示機器の載置面に対するタッチパネルの傾斜角度が変更可能となっていることがある。そのようなタッチパネルを備えた画像表示機器では、タッチパネルに対する入力操作時に画像表示機器全体がスタイラスペン等の接触により前記載置面に対して姿勢を変える等の場合があり、例えばその場合には誤入力が生じる可能性があった。例えば、タッチパネルの表示面が前記載置面との関係で直立に近付くほど、或いは、スタイラスペン等による接触箇所が上記表示面の上端に近いほど、前記入力操作による画像表示機器全体の姿勢変化は生じ易くなると考えられる。そこで、タッチパネルの入力領域を上記姿勢変化の生じ難いようにタッチパネルの傾斜角度に応じて変更することが考えられる。
【０００５】
しかし、上記のようにタッチパネルの入力領域をタッチパネルの傾斜角度に応じて変更することを、例えば前記特許文献１の情報処置装置を用いて実現しようとしても、そもそも特許文献１の情報処置装置が備える表示装置本体はタッチパネルではないので、これを実現することができなかった。
【０００６】
本発明は、以上の事情を背景として為されたものであり、その目的とするところは、タッチパネルに対する入力操作により画像表示機器の姿勢が変化することを抑えることができる画像表示機器の制御装置を提供することにある。
【課題を解決するための手段】
【０００７】
かかる目的を達成するため、請求項１に係る発明の要旨とするところは、（ａ）画像を表示するとともに利用者が操作する入力操作子が画像表示面へ接触したことを検出するタッチパネルと、その画像表示面が載置面に対してなす画面角度を固定し且つそのタッチパネルを支持するタッチパネル支持部とを備えた画像表示機器の制御装置であって、（ｂ）前記画面角度を検出する画面角度検出手段と、（ｃ）その画面角度検出手段により検出されたその画面角度に基づいて前記画像表示面の範囲内で前記入力操作子による入力を受け付ける入力領域を設定可能な入力許容領域を決定するとともに、その入力領域をその入力許容領域内において決定する入力領域決定手段とを、含むことにある。
【０００８】
また、請求項５に係る発明の要旨とするところは、（ａ）画像を表示するとともに利用者が操作する入力操作子が画像表示面へ接触したことを検出するタッチパネルと、その画像表示面が載置面に対してなす画面角度を固定し且つそのタッチパネルを支持するタッチパネル支持部とを有する画像表示機器に対し、前記画像表示面の範囲内で前記入力操作子による入力を受け付ける入力領域を決定するための画像表示機器制御システムであって、（ｂ）前記画像表示機器は前記画面角度を検出する画面角度検出手段を有するとともに、（ｃ）その画面角度検出手段により検出されたその画面角度に基づいて前記入力領域を設定可能な入力許容領域を決定するとともに、その入力領域をその入力許容領域内において決定する入力領域決定手段を有し且つその決定された入力領域に基づく画像を前記タッチパネルに表示させるサーバを備えることにある。
【発明の効果】
【０００９】
請求項１に係る発明の画像表示機器の制御装置によれば、前記画面角度検出手段は前記画面角度を検出し、前記入力領域決定手段は、その画面角度検出手段により検出されたその画面角度に基づいて前記入力許容領域を決定するとともに、前記入力領域をその入力許容領域内において決定する。そのため、前記画像表示面上において前記入力操作子による接触箇所が上記画面角度に応じて制限され、タッチパネルに対する入力操作により画像表示機器の姿勢が変化することを抑えることが可能である。その結果として、例えば、前記画像表示機器の姿勢変化による誤入力が発生し難くなる。
【００１０】
ここで、好適には、前記入力領域決定手段は、前記入力領域の上端位置を、予め定められた下限位置を下限として前記画面角度が小さいほど高くする。このようにすれば、タッチパネルに対する入力操作による画像表示機器の姿勢変化は前記画面角度が小さいほど生じ難くなるので、上記姿勢変化を抑えつつ、前記入力領域を広く確保してタッチパネルに対する入力操作を行い易くすることができる。また、前記下限位置が定められているので、前記入力領域がタッチパネルに対する入力操作を行う上で狭くなり過ぎることを回避できる。
【００１１】
また、好適には、前記入力領域決定手段は、前記画面角度が予め定められた画面角度判定値以下である場合には前記入力許容領域の上端位置を前記画像表示面の上端位置とする。このようにすれば、前記画面角度が小さくされて、例えば、タッチパネルに対する入力操作の際に前記入力操作子による接触箇所が前記画像表示面の何れであっても画像表示機器の姿勢変化が生じ難いような場合には、前記入力領域が最大限広く確保される。その結果として、タッチパネルに対する入力操作の際の操作性を向上させることができる。
【００１２】
また、好適には、（ａ）前記タッチパネル支持部は、前記タッチパネルを備える本体部と前記画面角度に応じた角度で接続され、且つ前記載置面と接触することによりそのタッチパネルを支持するものであり、（ｂ）前記入力領域決定手段は、前記本体部の前記タッチパネル支持部との接続部が前記画面角度の最大時に示す高さ以上に、前記入力許容領域の上端位置を設定する。このようにすれば、前記タッチパネルに対する入力操作により画像表示機器の姿勢が変化することを適度に抑えることが可能である。
【００１３】
また、請求項５に係る発明の画像表示機器制御システムによれば、（ａ）前記タッチパネルと前記タッチパネル支持部とを有する画像表示機器は、前記画面角度を検出する画面角度検出手段を有するとともに、（ｂ）前記サーバは、その画面角度検出手段により検出されたその画面角度に基づいて前記入力領域を設定可能な入力許容領域を決定するとともに、その入力領域をその入力許容領域内において決定する入力領域決定手段を有し且つその決定された入力領域に基づく画像を前記タッチパネルに表示させるので、前記請求項１に係る発明の画像表示機器の制御装置と同様に、前記画像表示面上において前記入力操作子による接触箇所が上記画面角度に応じて制限され、タッチパネルに対する入力操作により画像表示機器の姿勢が変化することを抑えることが可能である。その結果として、例えば、前記画像表示機器の姿勢変化による誤入力が発生し難くなる。
【００１４】
また、好適には、前記入力領域決定手段は、前記画面角度が小さいほど高く設定される第１高さと予め定められた第２高さとのうち高い方を前記入力許容領域の上端位置とする。例えば、前記タッチパネル支持部は、前記画面角度に応じた角度で前記本体部と接続されることにより前記タッチパネルを支持するものであり、前記入力領域決定手段は、前記タッチパネル支持部の前記タッチパネルから遠い側の先端が前記画像表示機器の載置面に接触する接触点を求め、その接触点を通る前記画像表示面の垂線とその画像表示面との交点が示す高さを前記第１高さとする。このようにすれば、前記画面角度を検出することにより、タッチパネルに対する入力操作を困難にするほど入力領域が縮小されるのを避けつつ、タッチパネルに対する入力操作により画像表示機器の姿勢が変化することを抑えることが可能である。
【図面の簡単な説明】
【００１５】
【図１】本発明が好適に適用されるタッチパネルを備えた画像表示機器の外観を表す側面図である。
【図２】図１においてII方向に見た画像表示機器の正面図である。
【図３】図２においてIII−III方向に見た画像表示機器の断面図である。
【図４】図１の画像表示機器において、画面角度を検出するための画面角度センサが加速度センサである場合においてその検出原理を説明するための図である。
【図５】図４の加速度センサの設置場所を説明するための図である。
【図６】図１の画像表示機器において、画面角度を検出するための画面角度センサがポテンショメータである場合においてその検出原理を説明するための図である。
【図７】図６のポテンショメータの設置場所を説明するための図である。
【図８】図１に示す画像表示機器とは別の画像表示機器の構成を説明するための概略側面図である。
【図９】図１の画像表示機器の電気的な構成を例示するブロック図である。
【図１０】図１の画像表示機器の制御装置であるＣＰＵに備えられた制御機能の要部を説明するための実施例１の機能ブロック線図である。
【図１１】図１の画像表示機器において、入力許容領域をどのように決定するかを説明するための第１の図であり、画像表示機器の側面図を表している。
【図１２】図１の画像表示機器において、入力許容領域をどのように決定するかを説明するための第２の図であり、画像表示機器の側面図を表している。
【図１３】図１の画像表示機器において、入力領域として１つのスタイラス入力領域と２つのアイコン領域とが表示内容に含まれる場合を例として、画面角度に基づいて決定される入力領域の具体例を示した図である。
【図１４】図１の画像表示機器において、入力領域として１つのスタイラス入力領域と２つのアイコン領域とが表示内容に含まれる場合を例として、画面角度に基づいて決定される入力領域の具体例を示した図であり、図１３よりは画面角度が小さい場合を示す図である。
【図１５】図１の画像表示機器において、入力領域として１つのスタイラス入力領域と２つのアイコン領域とが表示内容に含まれる場合を例として、画面角度に基づいて決定される入力領域の具体例を示した図であり、図１４よりは画面角度が小さい場合を示す図である。
【図１６】図１の画像表示機器において、入力領域として１つのスタイラス入力領域と２つのアイコン領域とが表示内容に含まれる場合を例として、画面角度に基づいて決定される入力領域の具体例を示した図であり、図１５よりは画面角度が小さい場合を示す図である。
【図１７】図１の画像表示機器に備えられたＣＰＵの制御作動の要部、すなわち、タッチパネルの画面角度に応じて表示装置に表示される表示内容が更新される制御作動を説明するための実施例１のフローチャートである。
【図１８】図１７のＳＡ３にて実行される制御作動を説明するためのフローチャートである。
【図１９】本発明の画像表示機器制御システムの概要を表わす実施例２の図である。
【図２０】図１９のサーバに備えられた制御機能の要部を説明するための実施例２の機能ブロック線図である。
【図２１】図１９の画像表示機器に備えられた制御機能の要部を説明するための実施例２の機能ブロック線図である。
【図２２】図１９の画像表示機器制御システムにおいて、画像表示機器がサーバから２つのリンクがあることを受信しており、１つのスタイラス入力領域である文字入力領域と、２つのリンク領域と、サーバから受信された文字等の情報が表示される非入力表示領域であるブラウザ表示領域とが、画像表示機器の表示装置に表示される表示内容に含まれる場合を例として、画面角度に基づいて決定される入力領域の具体例を示した図である。
【図２３】図１９の画像表示機器制御システムにおいて、画像表示機器がサーバから２つのリンクがあることを受信しており、１つのスタイラス入力領域である文字入力領域と、２つのリンク領域と、サーバから受信された文字等の情報が表示される非入力表示領域であるブラウザ表示領域とが、画像表示機器の表示装置に表示される表示内容に含まれる場合を例として、画面角度に基づいて決定される入力領域の具体例を示した図であり、図２２よりは画面角度が小さい場合を示す図である。
【図２４】図１９の画像表示機器制御システムにおいて、画像表示機器がサーバから２つのリンクがあることを受信しており、１つのスタイラス入力領域である文字入力領域と、２つのリンク領域と、サーバから受信された文字等の情報が表示される非入力表示領域であるブラウザ表示領域とが、画像表示機器の表示装置に表示される表示内容に含まれる場合を例として、画面角度に基づいて決定される入力領域の具体例を示した図であり、図２３よりは画面角度が小さい場合を示す図である。
【図２５】図１９の画像表示機器制御システムにおいて、画像表示機器がサーバから２つのリンクがあることを受信しており、１つのスタイラス入力領域である文字入力領域と、２つのリンク領域と、サーバから受信された文字等の情報が表示される非入力表示領域であるブラウザ表示領域とが、画像表示機器の表示装置に表示される表示内容に含まれる場合を例として、画面角度に基づいて決定される入力領域の具体例を示した図であり、図２４よりは画面角度が小さい場合を示す図である。
【図２６】図１９の画像表示機器制御システムの制御作動の要部、すなわち、タッチパネルの画面角度に応じて画像表示機器に表示される表示内容が更新される制御作動を説明するための実施例２のフローチャートである。
【図２７】図２６のＳＣ１０にて実行される制御作動を説明するためのフローチャートである。
【発明を実施するための形態】
【００１６】
以下、本発明の好適な実施例を図面を参照して詳細に説明する。
【実施例１】
【００１７】
図１は、本発明が好適に適用されるタッチパネルを備えた画像表示機器１０の外観を表す側面図である。図２は、図１においてII方向に見た画像表示機器１０の正面図である。図３は、図２においてIII−III方向に見た画像表示機器１０の断面図である。画像表示機器１０は、例えば机上等の水平な載置面８に載置してタッチパネル操作により入出力を行う電子機器であり、タッチパネル１２を備えた本体部２０と、そのタッチパネル１２すなわちその本体部２０を机上等に載置した場合に支持するタッチパネル支持部２２とを備えている。
【００１８】
本体部２０は、上記タッチパネル１２と、ＡＢＳ樹脂やアルミ合金などの材質であって本体部２０の外形を成し且つタッチパネル１２に表示される画像等の表示面１８（以下、「画像表示面１８」という）を露出するように開口した本体部筐体２４と、画像表示面１８の外側である本体部２０の正面外周部に設けられ機能選択のための所定のメニュー画面をタッチパネル１２に表示させるためのメニューボタン２６（図２参照）とを備えている。
【００１９】
タッチパネル１２は、利用者に対する入出力装置として一般的に知られているタッチパネルディスプレイ装置であり、画像や文字等を表示する表示装置１４と、画像表示機器１０の利用者が操作する入力操作子としてのスタイラスペン２８（図３参照）が画像表示面１８に接触したこと及び接触していることを検出する表示面接触検出装置１６とを備えている。そして、タッチパネル１２は、画像表示面１８側から表示面接触検出装置１６と表示装置１４とが層状に相互に一体となって構成されている。タッチパネル１２は、抵抗膜方式、静電容量方式、超音波表面弾性波方式、赤外線遮光方式などの何れの方式でスタイラスペン２８の画像表示面１８への接触が検出されてもよいが、本実施例では抵抗膜方式が採用されている。
【００２０】
表示装置１４は、例えば液晶表示装置や有機ＥＬディスプレイなどであり、入力信号に従って画像や文字等を画像表示面１８に向けて表示する。この表示装置１４が画像や文字等を表示する最大画像表示範囲は、画像表示面１８の範囲すなわち図２に示す画像表示面１８の上端３２、側端３４，３８、及び下端３６に囲まれた範囲（表示領域）である。
【００２１】
表示面接触検出装置１６は、透明な薄いシート状の例えば感圧センサであり、表示装置１４の画像等を表示させる側の面の略全体に一体的に貼り付けられている。そして、表示面接触検出装置１６は、スタイラスペン２８が画像表示面１８に接触すると、そのスタイラスペン２８の接触を検出し、その接触を検出した画像表示面１８上の位置を示すペン接触検出位置信号を出力する。
【００２２】
図１に示すように、タッチパネル支持部２２は、その一端が、本体部２０において画像表示面１８側に対する反対側すなわち背面側に設けられた接続部４２に接続されている。そして、画像表示機器１０を載置面８上（机上等）に載置する際には、タッチパネル支持部２２の他端（支持点）４４と本体部２０の下端とが載置面８に接触して画像表示機器１０が載置面８上に載置される。上記接続部４２は、タッチパネル支持部２２が図１の矢印AR01のように接続部４２を通る画像表示面１８と平行な水平軸（横軸）まわりに回動可能に接続されている回転支点部（タッチパネル支持部２２の回転中心）として機能し、また、ねじ止めやラチェット機構等によってタッチパネル支持部２２を本体部２０に対し任意の角度で固定できるようになっている。このようにタッチパネル支持部２２が接続部４２で固定されることにより、タッチパネル支持部２２は、画像表示面１８が載置面８に対してなす画面角度θgを固定して本体部２０（タッチパネル１２）を支持することができる。すなわち、図１から判るように、タッチパネル支持部２２は、接続部４２にて本体部２０と上記画面角度θgに応じた角度で接続され固定されることによりタッチパネル１２を支持するものである。なお、上記画面角度θgはその調節範囲が予め定められている。
【００２３】
画像表示機器１０は前記画面角度θgを検出するための画面角度センサ４８を備えている。その画面角度センサ４８としては特に限定されないが、例えば、加速度センサ（ＭＥＭＳセンサ）やポテンショメータ等が考えられる。言い換えれば、加速度センサとポテンショメータとの何れか一方が画面角度センサ４８として画像表示機器１０に設けられる。図４は、上記画面角度センサ４８が加速度センサである場合においてその検出原理を説明するための図であり、図５はその加速度センサの設置場所を説明するための図である。
【００２４】
図４に示すように、鉛直下向きの重力加速度を「ｇ」とすれば、水平面から角度θだけ傾いた面に対して垂直方向に重力が及ぼす加速度は「ｇ×cosθ」となりその面に平行な方向には「ｇ×sinθ」となる。すなわち、加速度を検出することにより上記角度θを検出できる。従って、画面角度センサ４８が加速度センサである場合には、画面角度センサ４８は、図５にa01として示すように、例えば画像表示面１８に対して垂直または平行な方向の加速度を検出するように本体部２０に設けられる。また、タッチパネル支持部２２が水平面に対してなす支持部角度は画面角度θgと一対一の対応関係にあるので、画面角度センサ（加速度センサ）４８は本体部２０ではなくタッチパネル支持部２２に設けられてもよく（図５のa02参照）、そのようにした場合には上記支持部角度から画面角度θgが算出される。
【００２５】
次に、画面角度センサ４８がポテンショメータである場合の例について説明する。図６は、上記画面角度センサ４８がポテンショメータである場合においてその検出原理を説明するための図であり、図７はそのポテンショメータの設置場所を説明するための図である。なお、図６（ａ）は図６（ｂ）において左側から見た左側面図である。
【００２６】
図６に示すように、ポテンショメータである画面角度センサ４８は、一軸CL1上に固定子５２と、その固定子５２に対して回転可能なシャフト５４と、そのシャフト５４に固定された回転子５６とを備えている。ポテンショメータでは、矢印AR02，AR03のように、シャフト５４及び回転子５６が固定子５２に対して回転すると磁界または電気抵抗が変化する。ポテンショメータである画面角度センサ４８は、この回転に応じて変化する磁界または電気抵抗から、シャフト５４及び回転子５６が固定子５２に対して回転した角度を検出できる。従って、画面角度センサ４８がポテンショメータである場合には、画面角度センサ４８は、図６に示すように接続部４２に設けられる。そして、その接続部４２では、シャフト５４がタッチパネル支持部２２の回転軸と同軸に配置され、シャフト５４と固定子５２との一方がタッチパネル支持部２２に固定され他方が本体部２０に固定される。
【００２７】
前述した図１に示す画像表示機器１０では、タッチパネル支持部２２が接続部４２を回転中心として回動したが、その他の本体部２０とタッチパネル支持部２２との関係も考え得る。その例を図８に示す。
【００２８】
図８は、図１に示す画像表示機器１０とは別の画像表示機器７０の構成を説明するための概略側面図である。図８（ａ）は画面角度θgが予め定められた調節範囲内で最も垂直に近い状態すなわちその画面角度θgの上記調節範囲内での最大時における状態を示しており、図８（ｂ）は、図８（ａ）よりも画面角度θgが小さくされた状態を示している。図８（ａ）では、第１タッチパネル支持部７１の一端と他端とを通る直線L22が画像表示面１８となす角度は直角となる。図８（ａ）（ｂ）に示すように、画像表示機器７０は、本体部２０、第１タッチパネル支持部７１及び第２タッチパネル支持部７８を備えており、第１タッチパネル支持部７１及び第２タッチパネル支持部７８が本発明のタッチパネル支持部に対応する。
【００２９】
第２タッチパネル支持部７８は、載置面８に対し平行に載置される板状部材であり、その一端には本体部２０の下端が回動可能に接続されており、他端側には前記第１タッチパネル支持部７１の他端７２が回動可能に接続されている。
【００３０】
第１タッチパネル支持部７１は、その一端が本体部２０の背面側に接続されており、その接続部７４は、図８（ａ）の状態から本体部２０の背面に沿って上側にずらすことが可能となっている。そして、接続部７４は、本体部２０背面の任意の位置でねじ止め等により固定可能となっている。すなわち、画像表示機器７０は、接続部７４を本体部２０の背面に沿って図８（ａ）の状態から上側にずらすほど画面角度θgが小さくなる構造になっている。例えば、図８（ａ）において矢印AR04のように、第１タッチパネル支持部７１を回動させて接続部７４を本体部２０の背面に沿って上側にずらして固定することで、画像表示機器７０は画面角度θgが小さくされた図８（ｂ）の状態になる。この画像表示機器７０では、画面角度θgの予め定められた調節範囲内での最大時に接続部７４が示す高さは図８（ａ）に示す「HX」となる。なお、本実施例では、特に断りのない限り、図１に示す画像表示機器１０を前提として説明するが、図８の画像表示機器７０にも、図１０、図１７、及び図１８等を用いて以下に説明する手法を図１の画像表示機器１０と同様に適用できる。
【００３１】
図９は、画像表示機器１０の電気的な構成を例示するブロック図である。この図９に示すように、画像表示機器１０は、前記タッチパネル１２等に加えて、中央演算処理装置であるＣＰＵ８０と、ＲＡＭ８２と、ＲＯＭ８４と、ＣＤ−ＲＯＭや磁気ディスクなどの記録媒体からデータやプログラム等を読み込み或いはその記録媒体にデータやプログラム等を書き込む読出書込装置８６と、これらの構成要素の相互間でデータ授受を仲介するバス８８とを備えている。
【００３２】
ＣＰＵ８０は、画像表示機器１０を制御するための制御装置であり、ＲＡＭ８２の一時記憶機能を利用しつつＲＯＭ８４の一部等に予め記憶されたプログラムに基づいて電子情報を処理・制御する所謂コンピュータの制御部である。例えば、ＣＰＵ８０は、利用者が電源スイッチをＯＮにした場合に画像表示機器１０の予め定められた初期画像を表示装置１４に表示させたり、画像表示機器１０の電子メール機能、ブラウザ機能等の各機能に基づいた所定の画像を表示装置１４に表示させたり、表示面接触検出装置１６からの前記ペン接触検出位置信号に基づいて所定の機能を実行し表示装置１４の表示画像を切り替えたり、タッチパネル１２への所謂手書き入力を受け付けその手書き画像を表示装置１４に表示させたりする制御を実行する。また、前記プログラムは、それが記録されたＣＤ−ＲＯＭ等の記録媒体から読出書込装置８６により予め読み込まれたものであってもよい。
【００３３】
例えば、ＣＰＵ８０は、表示装置１４に画像等を表示させる際には、画像表示面１８の範囲内すなわち表示装置１４の前記最大画像表示範囲内において、スタイラスペン２８による入力を受け付けず画像等を表示する非入力表示領域、及びスタイラスペン２８による入力を受け付ける入力領域等を設定し、その非入力表示領域および入力領域に対応した画像等を表示装置１４に表示させる。上記非入力表示領域としては、例えば、ブラウザ機能が選択されている場合にはその機能により文字等が表示されるブラウザ表示領域があり、そのブラウザ表示領域には例えばサーバからの情報等が表示される。また、上記入力領域としては、スタイラスペン２８の画像表示面１８への接触軌跡を表示装置１４に表示させるとともにその接触軌跡から文字や図形等を認識しそれを入力として受け付けるスタイラス入力領域（手書き入力領域）、及び、アイコン画像を表示装置１４に表示させるとともにそのアイコン画像に対応したそれの表示範囲内でスタイラスペン２８の画像表示面１８への接触が検出されると所定の機能等が選択されるアイコン領域などがある。
【００３４】
図１０は、画像表示機器１０の制御装置であるＣＰＵ８０に備えられた制御機能の要部を説明するための機能ブロック線図である。図１０に示すように、ＣＰＵ８０は、画面角度検出手段１００と、表示内容更新判断手段１０２と、表示内容読込手段１０４と、入力領域決定手段１０６と、画面表示手段１０８とを備えている。
【００３５】
画面角度検出手段１００は、画面角度センサ４８の信号から画面角度θgを検出する。そして、画面角度θgはタッチパネル支持部２２が本体部２０に対して回動させられる等して変更されることがあるので、画面角度検出手段１００は、画面角度変更判断手段として機能して、その画面角度θgの変更が行われたか否かの判断も行う。
【００３６】
表示内容更新判断手段１０２は、表示装置１４に表示されている表示内容の更新が行われるか否かを判断する。例えば、前記アイコン領域内で画像表示面１８への接触が検出されると表示内容が切り替えられることになるので、そのときには、表示内容更新判断手段１０２は、表示装置１４に表示されている表示内容の更新が行われると判断する。
【００３７】
表示内容読込手段１０４は、表示装置１４に表示させる表示内容を読み込む。例えば、ＲＯＭ８４やハードディスクなどから読み込む。例えば、表示内容読込手段１０４は、画像表示機器１０の電源が投入されたときには、機器起動当初に表示させるよう予め設定された初期画面用の表示内容を読み込む。また、表示内容読込手段１０４は、表示内容更新判断手段１０２により前記表示内容の更新が行われると判断された場合には、その更新後の表示内容を読み込む。例えば、表示内容読込手段１０４が読み込む前記表示内容としては、前記非入力表示領域の位置と大きさと表示させる画像、及び、前記入力領域の位置と大きさと表示させる画像などがある。
【００３８】
また、表示内容読込手段１０４は入力領域存在判断手段１１０を備えており、その入力領域存在判断手段１１０は、読み込まれた表示内容に前記入力領域が存在するか否か、言い換えると、その表示内容に前記入力領域が含まれているか否かを判断する。すなわち、画像表示面１８上に前記入力領域が存在することになるか否かを判断する。
【００３９】
入力領域決定手段１０６は、画面角度検出手段１００により検出された画面角度θgに基づいて前記入力領域を決定する。詳細には、入力領域決定手段１０６は、その画面角度θgに基づいて画像表示面１８の範囲内で前記入力領域を設定可能な入力許容領域を決定し、それとともにその入力領域をその入力許容領域内において決定する。入力領域決定手段１０６は、入力領域を決定するために、後述する入力許容領域決定手段１１２と入力領域縮小判断手段１１４とを備えている。具体的に、上記入力領域を決定することとは、表示内容読込手段１０４により読み込まれた前記表示内容に含まれる前記入力領域の位置と大きさとを決定すること等である。入力領域決定手段１０６は、入力領域存在判断手段１１０により前記表示内容に前記入力領域が存在すると判断された場合に、入力許容領域決定手段１１２が前記入力許容領域を決定するとともに、前記入力領域を決定する。そして、入力領域決定手段１０６は、上記読み込まれた表示内容に前記非入力表示領域が含まれている場合には、上記入力領域の決定の際に、その非入力表示領域を画像表示面１８の範囲内で確保した上で、その非入力表示領域の範囲外に上記入力領域を配置する。なお、入力領域決定手段１０６は、表示内容読込手段１０４が表示装置１４に表示させる表示内容を新たに読み込んだ場合または画面角度検出手段１００が画面角度θgの変更が行われたと判断した場合に、前記入力領域を決定するのが好ましい。
【００４０】
前記入力許容領域を決定することについて図１１および図１２を用いて説明する。その入力許容領域は、前述したように前記入力領域を設定可能な領域であるが、入力許容領域内でのスタイラスペン２８等の画像表示面１８への接触であれば画像表示機器１０が姿勢変化を生じにくく安定した入力操作が可能であると考えられる安定入力領域であるとして決定されるものである。入力許容領域決定手段１１２は、前記画面角度θgに基づいて画像表示面１８の範囲内で前記入力許容領域を決定する。具体的には、図１１に示すように、入力許容領域決定手段１１２は、タッチパネル支持部２２の前記他端（支持点）４４すなわちタッチパネル支持部２２の載置面８に対する接触点から画像表示面１８に対して垂線を引いたときのその垂線と画像表示面１８との交点P01を求め、その交点P01が示す第１高さHPを算出する。その第１高さHPは、図１１から判るように画面角度θgの関数として算出できる。そして、入力許容領域決定手段１１２は、画像表示機器１０の入力操作時における姿勢変化が生じにくくその入力操作が困難とならないように予め実験的に設定された前記入力許容領域の最低上端高さ（第２高さ）HXを記憶しており、前記第１高さHPとその第２高さHXとを比較する。例えば、本実施例では、図１２に示すように、前記第２高さHXは、画面角度θgの予め定められた調節範囲内での最大時に接続部４２（タッチパネル支持部２２の回転中心）が示す高さとされている。入力許容領域決定手段１１２は、第１高さHPと第２高さHXとを比較した結果、第１高さHPと第２高さHXとのうち高い方の位置を前記入力許容領域の上端位置として設定する。すなわち、入力許容領域決定手段１１２は、第１高さHPと第２高さHXとのうち高い方の位置を上端位置としてその上端位置の下側にある画像表示面１８の範囲を前記入力許容領域として決定する。このように上記入力許容領域が決定されるので、その入力許容領域の上端位置は前記第２高さHXより低く設定されることはなく、すなわち、入力許容領域決定手段１１２は、前記第２高さHX以上に入力許容領域の上端位置を設定すると言える。なお、図１１及び図１２では、第１高さHPおよび第２高さHXは何れも載置面８からの高さとして図示されているが、両者HP，HXの基準となる位置が共通していれば載置面８からの高さでなくても差し支えない。
【００４１】
入力許容領域決定手段１１２は、基本的には上述したように第１高さHPおよび第２高さHXから前記入力許容領域を決定するが、画面角度θgがある程度小さくなると、画像表示面１８の範囲内の何れの位置でスタイラスペン２８等が接触しても画像表示機器１０は姿勢変化を生じにくくなる。そこで、入力許容領域決定手段１１２は、前記画面角度θgが予め定められた画面角度判定値θ1g以下である場合には、前記入力許容領域の上端位置を画像表示面１８の上端位置（上端３２の位置）とする。すなわち、上記入力許容領域を、表示装置１４の前記最大画像表示範囲、言い換えれば表示装置１４の全表示領域とする。上記画面角度判定値θ1gは、図１１に示す前記交点P01が上記画像表示面１８の上端位置と一致するときの画面角度θgであってもよいし、画像表示面１８の上端位置でスタイラスペン２８等が入力操作により接触しても画像表示機器１０の姿勢変化が生じにくいと判断できる実験的に求められた画面角度θgでもよい。
【００４２】
入力領域決定手段１０６は、上述のように入力許容領域決定手段１１２が前記入力許容領域を決定した後に、入力許容領域内に入力領域が収まるように必要に応じて予め定められた基準サイズから入力領域を縮小して決定する。そのために、先ず、入力領域縮小判断手段１１４は、前記入力許容領域内に上記入力領域を収めるために入力領域を上記基準サイズから縮小する必要がないか否かを判断する。すなわち、前記入力許容領域が前記基準サイズの入力領域よりも大きいか否かを判断する。もし、表示内容読込手段１０４によって読み込まれた前記表示内容に前記入力領域が複数存在する場合には、画像表示面１８の範囲内に配置される複数の入力領域全体よりも前記入力許容領域が大きいか否かを判断する。ここで、前記入力領域の基準サイズとは、上記入力許容領域内に収めるという制限が無ければその入力領域の大きさが基準サイズとされて入力領域が決定されるという入力領域の大きさであり、例えば個々の入力領域に対して入力操作上最も適切な大きさに実験的に設定されている。言い換えれば、上記入力領域の基準サイズとは、入力領域決定手段１０６が決定する入力領域の最大の大きさである。
【００４３】
入力領域決定手段１０６は、入力領域縮小判断手段１１４によって前記入力許容領域が前記基準サイズの入力領域よりも大きいと判断された場合には、その入力領域を前記基準サイズから縮小する必要がないので、前記入力許容領域内において上記入力領域を前記基準サイズのまま配置し決定する。前記入力許容領域が前記基準サイズの入力領域と同じ大きさである場合も同様である。上記入力領域の配置は、例えば、表示内容読込手段１０４によって読み込まれた前記表示内容に従う。
【００４４】
一方、入力領域決定手段１０６は、入力領域縮小判断手段１１４によって前記入力許容領域が前記基準サイズの入力領域よりも小さいと判断された場合には、前記入力許容領域内に入力領域が収まるように入力領域を前記基準サイズから縮小して配置し決定する。すなわち、上記入力許容領域の上端位置は、前記図１１及び図１２で説明したように、前記第２高さHXを下限として画面角度θgが小さいほど高く設定されるので、入力領域決定手段１０６は、前記入力領域の上端位置を、予め定められた下限位置（第２高さHX）を下限として画面角度θgが小さいほど高くすることになる。入力領域決定手段１０６が前記入力領域を縮小する際において、例えば、入力領域が複数存在する場合には、表示内容読込手段１０４によって読み込まれた前記表示内容に含まれる前記基準サイズの入力領域同士の相互間隔も同率で縮小される。また、前記入力許容領域は前記入力領域の画像表示面１８上での高さを制限するものであるので、例えば、入力領域決定手段１０６は、入力領域を縮小する際には、その入力領域の高さ方向寸法だけを縮小してもよいし、入力領域を縦横同一比率で縮小してもよい。
【００４５】
但し、上記のように入力領域決定手段１０６は前記入力領域を前記入力許容領域内に収まるように縮小するが、その入力領域には予め定められた最小サイズが設けられており、入力領域決定手段１０６は、前記入力領域を上記最小サイズより小さくは縮小しない。そのために、入力領域決定手段１０６は、前記入力許容領域内に入力領域が収まるように入力領域を前記基準サイズから縮小し、その縮小した入力領域が前記最小サイズよりも小さいか否かを判断する。そして、その縮小した入力領域が前記最小サイズよりも小さくなければ、その縮小した入力領域を前記入力許容領域内において配置し決定する。一方で、その縮小した入力領域が前記最小サイズよりも小さい場合がある。例えば、前記表示内容に含まれる入力領域が複数存在する場合には、その縮小した入力領域が前記最小サイズよりも小さくなることがある。入力領域決定手段１０６は、その縮小した入力領域が前記最小サイズよりも小さい場合には、前記入力許容領域内において入力領域をその縮小した大きさではなく前記最小サイズで可能なだけ配置し決定する。そのとき、配置できない入力領域が発生するので、入力領域決定手段１０６は、上記最小サイズの入力領域とともに、画像表示面１８上で配置される入力領域と配置されない入力領域とを入れ替えるための入力領域である並替ボタン領域も前記入力許容領域内に配置する。その並替ボタン領域では、それに対応する並替ボタンの画像が表示され、スタイラスペン２８の接触が検出されると画像表示面１８上で表示中の入力領域が非表示の入力領域に順に入れ替えられる。なお、前記入力領域の最小サイズは、例えば個々の入力領域に対して入力操作が困難にならない程度の最小の大きさに実験的に設定される。
【００４６】
以上のようにして入力領域決定手段１０６が前記入力領域を決定すると、画面表示手段１０８は、入力領域決定手段１０６によって決定された前記入力領域たとえば縮小された入力領域に対応する画像、言い換えれば、その入力領域に基づく画像を表示装置１４に表示させる。例えば、入力領域に対応する画像とは、その入力領域が前記アイコン領域であれば前記アイコン画像であり、また、その入力領域が前記スタイラス入力領域（手書き入力領域）であればその領域を示す外枠等の画像である。
【００４７】
また、画面表示手段１０８は、表示内容読込手段１０４によって読み込まれた前記表示内容に前記非入力表示領域が含まれていれば、前記入力領域に対応する画像とともに、上記非入力表示領域に対応する画像も表示装置１４に表示させる。例えば、上記非入力表示領域に対応する画像とは、その非入力表示領域に表示される文字、図形等である。
【００４８】
図１３〜図１６は、前記入力領域として１つの前記スタイラス入力領域と２つの前記アイコン領域とが前記表示内容に含まれる場合を例として、それぞれの画面角度θgで決定される入力領域の具体例を示した図である。図１３から図１６に向けて順に、画面角度θgは小さくなっている。また、図１３〜図１６において、破線L01は前記第１高さHP（図１１参照）を示しており、実線L02は前記第２高さHX（図１２参照）を示している。また、「ICN1，ICN2」は、前記アイコン領域を示しており、「Ain」は前記スタイラス入力領域を示しており、「BNc」は前記並替ボタン領域を示している。なお、図１３〜図１６において、（ａ）図は（ｂ）図において左水平方向から見た左側視図である。
【００４９】
図１３に示す場合では、前記第２高さHX（実線L02）の方が前記第１高さHP（破線L01）よりも高いので、第２高さHXが前記入力許容領域の上端位置となる。そして、その入力許容領域内に入力領域（アイコン領域ICN1，ICN2）が収まるようにその入力領域を縮小するとそのアイコン領域ICN1，ICN2に対し予め定められている前記最小サイズよりも小さくなるので、一方のアイコン領域ICN1が例えば最小サイズに縮小されて前記入力許容領域内に配置される。それとともに、前記スタイラス入力領域Ainが上記入力許容領域内に基準サイズから縮小されて配置され、前記並替ボタン領域BNcも上記入力許容領域内に配置される。
【００５０】
図１４に示す場合では、図１３に示す場合よりも前記入力許容領域が拡大しており、第１高さHP（破線L01）の方が第２高さHX（実線L02）よりも高いので、第１高さHPが前記入力許容領域の上端位置となる。そして、入力領域（アイコン領域ICN1，ICN2）は、上記入力許容領域内に収まるように前記基準サイズから縮小して配置される。また、前記スタイラス入力領域Ainが上記入力許容領域内に基準サイズから縮小されて配置される。なお、この図１４に示す場合では、上記入力許容領域内に入力領域（アイコン領域ICN1，ICN2）が収まるようにその入力領域を縮小してもそのアイコン領域ICN1，ICN2は前記最小サイズよりも小さくはならない。従って、前記並替ボタン領域BNcは上記入力許容領域内に配置されない。
【００５１】
図１５に示す場合では、図１４に示す場合よりも前記入力許容領域が拡大しており、第１高さHP（破線L01）の方が第２高さHX（実線L02）よりも高いので、第１高さHPが前記入力許容領域の上端位置となる。そして、全ての入力領域であるアイコン領域ICN1，ICN2及びスタイラス入力領域Ainをそれぞれの基準サイズで前記入力許容領域の範囲内に配置してもその入力許容領域の範囲内に収まるので、すなわち、複数の入力領域ICN1，ICN2，Ain全体よりも前記入力許容領域が大きいので、全ての入力領域ICN1，ICN2，Ainは前記入力許容領域内において基準サイズのまま配置される。
【００５２】
図１６に示す場合では、図１５に示す場合よりも前記画面角度θgが小さくなっており、上記画面角度θgが前記画面角度判定値θ1g以下である。そのため、前記入力許容領域は表示装置１４の前記最大画像表示範囲とされる。従って、全ての入力領域ICN1，ICN2，Ainは何れも入力許容領域によって縮小されることはなく、それぞれの基準サイズで画像表示面１８の範囲（最大画像表示範囲）内に配置される。
【００５３】
図１７は、ＣＰＵ８０の制御作動の要部、すなわち、タッチパネル１２の画面角度θgに応じて表示装置１４に表示される表示内容が更新される制御作動を説明するためのフローチャートである。この図１７に示す制御作動は、単独で或いは他の制御作動と並列的に実行される。例えば、図１７のフローチャートは、画像表示機器１０の電源がオンにされて画像表示機器１０が起動された場合に開始される。また、図１８は、図１７のＳＡ３にて実行される制御作動を説明するためのフローチャートである。
【００５４】
先ず、表示内容読込手段１０４に対応するステップ（以下、「ステップ」を省略する）ＳＡ１においては、表示装置１４に表示させる表示内容が読み込まれる。
【００５５】
入力領域存在判断手段１１０に対応するＳＡ２においては、ＳＡ１にて読み込まれた表示内容から、画像表示面１８上に前記入力領域が存在するか否かが判断される。すなわち、その表示内容に前記入力領域が含まれているか否かが判断される。このＳＡ２の判断が肯定された場合、すなわち、前記入力領域が存在する場合には、ＳＡ３へ移る。一方、このＳＡ２の判断が否定された場合には、ＳＡ４へ移る。
【００５６】
ＳＡ３においては、前記入力領域の画像表示面１８上の配置と大きさとが前記画面角度θgに応じて変更される。具体的には、図１８のフローチャートが実行される。
【００５７】
図１８のＳＢ１においては、画面角度センサ４８の信号から画面角度（画面表示角度）θgが検出される。このＳＢ１は画面角度検出手段１００に対応する。
【００５８】
入力許容領域決定手段１１２に対応するＳＢ２においては、ＳＢ１で検出された画面角度θgに基づいて前記入力許容領域が決定される。具体的には、画面角度θgに基づいて算出された第１高さHP（図１１参照）と予め定められた第２高さHX（図１２参照）とのうち高い方の位置が前記入力許容領域の上端位置として設定される。但し、前記画面角度θgが前記画面角度判定値θ1g以下である場合には、前記入力許容領域の上端位置は画像表示面１８の上端位置（上端３２の位置）とされる。すなわち、その場合には上記入力許容領域は表示装置１４の前記最大画像表示範囲とされる。
【００５９】
入力領域縮小判断手段１１４に対応するＳＢ３においては、前記入力許容領域内に前記入力領域を収めるために入力領域を前記基準サイズから縮小する必要がないか否かが判断される。すなわち、前記入力許容領域が前記基準サイズの入力領域よりも大きいか否かが判断される。このＳＢ３の判断が肯定された場合、すなわち、前記入力許容領域が前記基準サイズの入力領域よりも大きい場合には、ＳＢ７へ移る。一方、このＳＢ３の判断が否定された場合には、ＳＢ４へ移る。
【００６０】
ＳＢ４においては、前記入力領域が前記入力許容領域内に収まるように前記基準サイズから縮小される。その縮小の際、前記読み込まれた表示内容に前記非入力表示領域が含まれている場合には、その非入力表示領域の範囲外において上記入力領域が縮小される。なお、このＳＢ４では未だ、入力領域の大きさは確定していない。
【００６１】
ＳＢ５においては、ＳＢ４にて縮小された入力領域が前記最小サイズよりも小さくなるか否かが判断される。例えば、図１７のＳＡ１にて読み込まれた前記表示内容に含まれる入力領域が複数存在する場合には、上記縮小された入力領域が前記最小サイズよりも小さくなることがある。このＳＢ５の判断が肯定された場合、すなわち、前記入力領域が前記最小サイズよりも小さくなる場合には、ＳＢ６へ移る。一方、このＳＢ５の判断が否定された場合には、入力領域の大きさがＳＢ４にて縮小された大きさに確定し、ＳＢ７へ移る。
【００６２】
ＳＢ６においては、前記入力領域が、ＳＢ４にて縮小された大きさではなく例えば前記最小サイズで前記入力許容領域内において可能なだけ配置され決定される。そのとき、配置できない入力領域が発生するので、その配置されなかった入力領域と配置された入力領域とを相互に配置交換可能な表示設定が行われる。具体的には、上記最小サイズで配置された入力領域ともに、前記並替ボタン領域も前記入力許容領域内に配置される（図１３参照）。なお、前記読み込まれた表示内容に前記非入力表示領域が含まれている場合には、その非入力表示領域が画像表示面１８の範囲内で確保された上で、その非入力表示領域の範囲外において上記入力領域が配置される。これは後述のＳＢ７でも同様である。
【００６３】
ＳＢ７においては、前記入力領域が前記入力許容領域内において配置され決定される。このＳＢ７では、ＳＢ６とは異なり、前記並替ボタン領域は配置されない。具体的に、このＳＢ７では、前記ＳＢ３の判断が肯定されてＳＢ７に至った場合には、前記入力領域の大きさは縮小されずに前記基準サイズのままとされる一方で、前記ＳＢ５の判断が否定されてＳＢ７に至った場合には、前記入力領域の大きさは前記ＳＢ４にて縮小された大きさとされる。なお、ＳＢ４〜ＳＢ７は入力領域決定手段１０６に対応する。
【００６４】
図１７に戻り、画面表示手段１０８に対応するＳＡ４においては、図１８のＳＢ６またはＳＢ７にて決定された前記入力領域たとえば縮小された入力領域に対応する画像が表示装置１４に表示される。また、前記ＳＡ１にて読み込まれた前記表示内容に前記非入力表示領域が含まれていれば、前記入力領域に対応する画像とともに、上記非入力表示領域に対応する画像も表示装置１４に表示される。
【００６５】
ＳＡ５においては、画像表示機器１０の使用が終了するか否かが判断される。例えば、画像表示機器１０の電源をオフにする操作がなされた場合には、画像表示機器１０の使用が終了する。このＳＡ５の判断が肯定された場合、すなわち、画像表示機器１０の使用が終了する場合には、本フローチャートは終了する。一方、このＳＡ５の判断が否定された場合には、ＳＡ６へ移る。
【００６６】
表示内容更新判断手段１０２に対応するＳＡ６においては、表示装置１４に表示されている表示内容の更新が行われるか否かが判断される。このＳＡ６の判断が肯定された場合、すなわち、上記表示内容の更新が行われる場合には、ＳＡ１に移る。一方、このＳＡ６の判断が否定された場合には、ＳＡ７へ移る。
【００６７】
画面角度検出手段１００に対応するＳＡ７においては、画面角度センサ４８の信号から画面角度θgの変更が行われたか否かが判断される。このＳＡ７の判断が肯定された場合、すなわち、画面角度θgの変更が行われた場合には、ＳＡ２に移る。一方、このＳＡ７の判断が否定された場合には、ＳＡ５へ移る。
【００６８】
本実施例によれば、画面角度検出手段１００は前記画面角度θgを検出し、入力領域決定手段１０６は、画面角度検出手段１００により検出された画面角度θgに基づいて前記入力許容領域を決定するとともに、前記入力領域をその入力許容領域内において決定する。従って、画像表示面１８上においてスタイラスペン（入力操作子）２８による接触箇所が上記画面角度θgに応じて制限され、タッチパネル１２に対する入力操作により画像表示機器１０の姿勢が変化することを抑えることが可能である。その結果として、例えば、画像表示機器１０の姿勢変化による誤入力が発生し難くなる。
【００６９】
また、本実施例によれば、入力領域決定手段１０６は、前記入力領域の上端位置を、予め定められた下限位置（第２高さHX）を下限として画面角度θgが小さいほど高くする。従って、このようにすれば、タッチパネル１２に対する入力操作による画像表示機器１０の姿勢変化は前記画面角度θgが小さいほど生じ難くなるので、上記姿勢変化を抑えつつ、前記入力領域を広く確保してタッチパネル１２に対する入力操作を行い易くすることができる。また、前記下限位置（第２高さHX）が定められているので、前記入力領域がタッチパネル１２に対する入力操作を行う上で狭くなり過ぎることを回避できる。
【００７０】
また、本実施例によれば、入力領域決定手段１０６は、前記画面角度θgが予め定められた前記画面角度判定値θ1g以下である場合には前記入力許容領域の上端位置を画像表示面１８の上端位置（上端３２の位置）とする。従って、上記画面角度θgが小さくされて、例えば、タッチパネル１２に対する入力操作の際にスタイラスペン２８による接触箇所が画像表示面１８の何れであっても画像表示機器１０の姿勢変化が生じ難いような場合には、前記入力領域が最大限広く確保される。その結果として、タッチパネル１２に対する入力操作の際の操作性を向上させることができる。
【００７１】
また、本実施例によれば、タッチパネル支持部２２は、タッチパネル１２を備える本体部２０と前記画面角度θgに応じた角度で接続されることによりそのタッチパネル１２を支持するものであり、入力領域決定手段１０６は、前記画面角度θgの予め定められた調節範囲内での最大時に本体部２０のタッチパネル支持部２２との接続部４２が示す高さHX以上に、前記入力許容領域の上端位置を設定する。従って、タッチパネル１２に対する入力操作により画像表示機器１０の姿勢が変化することを適度に抑えることが可能である。
【００７２】
また、本実施例によれば、入力領域決定手段１０６は、前記画面角度θgが小さいほど高く設定される第１高さHPと予め定められた第２高さHXとのうち高い方を前記入力許容領域の上端位置とする。例えば、入力領域決定手段１０６は、タッチパネル支持部２２のタッチパネル１２から遠い側の先端（他端４４）が載置面８に接触する接触点（支持点）を求め、その接触点を通る画像表示面１８の垂線とその画像表示面１８との交点P01（図１１参照）が示す高さを第１高さHPとする。従って、前記画面角度θgを検出することにより、タッチパネル１２に対する入力操作を困難にするほど前記入力領域が縮小されるのを避けつつ、タッチパネル１２に対する入力操作により画像表示機器１０の姿勢が変化することを抑えることが可能である。
【００７３】
続いて、本発明の他の実施例を説明する。なお、以下の説明において実施例相互に共通する部分には同一の符号を付して説明を省略する。
【実施例２】
【００７４】
前述の実施例１では、前記入力領域は画像表示機器１０のＣＰＵ８０によって決定されていたが、本実施例では、サーバ２００が画像表示機器１０と相互に情報通信可能に接続されており、そのサーバ２００が上記入力領域を決定し、画像表示機器１０の表示装置１４にその入力領域に対応する画像を表示させる。以下、実施例１と異なる点を主として説明する。
【００７５】
図１９は、本発明の画像表示機器制御システム１９８の概要を表わす図である。図１９において画像表示機器制御システム１９８は、画像表示機器制御システム１９８の端末装置（端末）に相当する画像表示機器１０と、その画像表示機器１０と例えば通信ケーブル２０２で接続されるなどにより情報通信可能とされたサーバ２００とを含んで構成されている。そのサーバ２００は、例えば、ＣＰＵ、ＲＡＭ、ＲＯＭ、入出力インターフェース等を備えた所謂マイクロコンピュータを含んで構成されており、サーバ２００のＣＰＵはＲＡＭの一時記憶機能を利用しつつ予めＲＯＭに記憶されたプログラムに従って信号処理を行うことにより、必要な演算などを実行するようになっている。
【００７６】
図２０は、サーバ２００に備えられた制御機能の要部を説明するための機能ブロック線図である。また、図２１は、本実施例の画像表示機器１０に備えられた制御機能の要部を説明するための機能ブロック線図である。
【００７７】
図２０及び図２１に示すように、画像表示機器１０は、実施例１で説明した画面角度検出手段１００と表示内容更新判断手段１０２と画面表示手段１０８とを備えており、サーバ２００は、表示内容読込手段１０４と入力領域決定手段１０６とを備えている。更に、画像表示機器１０は、通信ケーブル２０２により接続されたサーバ２００と情報通信を行なうための通信インタフェース２０４を備えており、また、サーバ２００は、通信ケーブル２０２により接続された画像表示機器１０と情報通信を行なうための通信インタフェース２０６を備えている。
【００７８】
画面角度検出手段１００、表示内容更新判断手段１０２、画面表示手段１０８、表示内容読込手段１０４、及び入力領域決定手段１０６は何れも、実施例１のそれらと同一の機能であるので、実施例１と同様にして前記入力領域は決定されるが、画像表示機器１０がブラウザとして機能する場合を例に、上記入力領域がどのように決定されるかを図２２〜図２５を用いて具体的に説明する。
【００７９】
図２２〜図２５は、画像表示機器１０がサーバ２００から２つのリンクがあることを受信しており、１つの前記スタイラス入力領域である文字入力領域と、２つのリンク領域と、サーバ２００から受信された文字等の情報が表示される前記非入力表示領域であるブラウザ表示領域とが、表示装置１４に表示される表示内容に含まれる場合を例として、それぞれの画面角度θgで決定される入力領域の具体例を示した図である。上記文字入力領域およびリンク領域は前記入力領域の一種である。上記リンク領域とは、リンク先を示す文字や画像等が表示されるとともに、そのリンク領域内でのスタイラスペン２８の接触によって上記リンク先の情報に従った表示内容に切り替えるための領域である。
【００８０】
図２２〜図２５は、実施例１の図１３〜図１６と対応しており、その図１３〜図１６と同様に、図２２から図２５に向けて順に、画面角度θgは小さくなっている。また、図２２〜図２５において、破線L01は前記第１高さHP（図１１参照）を示しており、実線L02は前記第２高さHX（図１２参照）を示している。また、「LK1，LK2」は前記リンク領域を示しており、「A1in」は前記文字入力領域を示しており、「A2br」は前記ブラウザ表示領域を示しており、「BNc」は実施例１と同様に前記並替ボタン領域を示している。なお、図２２〜図２５において、何れの図でも前記ブラウザ表示領域は同一である。また、前記基準サイズの前記文字入力領域の上端位置は前記第２高さHXよりも低いので、その文字入力領域は基準サイズのままであり縮小されず、何れの図でも同一である。従って、前記リンク領域の決定について以下に説明する。なお、図２２〜図２５において、（ａ）図は（ｂ）図において左水平方向から見た左側視図である。
【００８１】
図２２に示す場合では、実施例１の図１３と同様に、前記第２高さHX（実線L02）の方が前記第１高さHP（破線L01）よりも高いので、第２高さHXが前記入力許容領域の上端位置となる。そして、その入力許容領域内に入力領域（リンク領域LK1，LK2）が収まるようにその入力領域を縮小するとそのリンク領域LK1，LK2に対し予め定められている前記最小サイズよりも小さくなるので、一方のリンク領域LK1が例えば最小サイズに縮小されて前記入力許容領域内に配置される。それとともに、前記並替ボタン領域BNcも上記入力許容領域内に配置される。
【００８２】
図２３に示す場合では、図２２に示す場合よりも前記入力許容領域が拡大しており、実施例１の図１４と同様に、第１高さHP（破線L01）の方が第２高さHX（実線L02）よりも高いので、第１高さHPが前記入力許容領域の上端位置となる。そして、入力領域（リンク領域LK1，LK2）は、上記入力許容領域内に収まるように前記基準サイズから縮小して配置される。なお、この図２３に示す場合では、上記入力許容領域内に入力領域（リンク領域LK1，LK2）が収まるようにその入力領域を縮小してもそのリンク領域LK1，LK2は前記最小サイズよりも小さくはならない。従って、前記並替ボタン領域BNcは上記入力許容領域内に配置されない。
【００８３】
図２４に示す場合では、図２３に示す場合よりも前記入力許容領域が拡大しており、実施例１の図１５と同様に、第１高さHP（破線L01）の方が第２高さHX（実線L02）よりも高いので、第１高さHPが前記入力許容領域の上端位置となる。そして、リンク領域LK1，LK2をそれぞれの基準サイズで前記入力許容領域の範囲内に配置してもその入力許容領域の範囲内に収まるので、そのリンク領域LK1，LK2は前記入力許容領域内において基準サイズのまま配置される。
【００８４】
図２５に示す場合では、図２４に示す場合よりも前記画面角度θgが小さくなっており、実施例１の図１６と同様に、上記画面角度θgが前記画面角度判定値θ1g以下である。そのため、前記入力許容領域は表示装置１４の前記最大画像表示範囲とされる。従って、リンク領域LK1，LK2は何れも入力許容領域によって縮小されることはなく、それぞれの基準サイズで画像表示面１８の範囲（最大画像表示範囲）内に配置される。
【００８５】
図２６は、画像表示機器制御システム１９８の制御作動の要部、すなわち、タッチパネル１２の画面角度θgに応じて画像表示機器１０に表示される表示内容が更新される制御作動を説明するためのフローチャートである。また、図２７は、図２６のＳＣ１０にて実行される制御作動を説明するためのフローチャートである。図２６及び図２７については、画像表示機器１０がブラウザとして機能する場合を例として説明する。
【００８６】
例えば、端末装置である画像表示機器１０の電源がオンにされるとＳＣ１が実行される。そのＳＣ１においては、サーバ２００との通信接続のための専用ブラウザが起動する。そして、画像表示面１８の範囲内に予め定められた表示領域が取得される。例えば、その表示領域として前記リンク領域等が確保されてそのリンク領域内でスタイラスペン２８を接触させることでサーバ２００にアクセスする。
【００８７】
ＳＣ２においては、図１８のＳＢ１と同様に、画面角度センサ４８の信号から画面角度θgが検出される。このＳＣ２は画面角度検出手段１００に対応する。
【００８８】
通信インタフェース２０４などに対応するＳＣ３においては、サーバ２００へアクセスする。すなわち、サーバ２００に対して画像表示機器１０から情報が送信される。例えば、前記リンク領域内でスタイラスペン２８が接触される等された場合にはそのリンク領域に対応したリンク先を指定する情報がサーバ２００へ送信される。また、前記ＳＣ２にて検出された画面角度θgがサーバ２００へ送信される。
【００８９】
ＳＣ４においては、サーバ２００を終了するか否かが判断される。例えば、サーバ２００の電源をオフにする操作がなされた場合には、サーバ２００は終了する。このＳＣ４の判断が肯定された場合には、サーバ２００は電源がオフにされ終了する。一方、このＳＣ４の判断が否定された場合、すなわち、サーバ２００を終了しない場合にはＳＣ５へ移る。
【００９０】
ＳＣ５においては、画像表示機器（端末）１０からのアクセスがあるか否かが判断される。言い換えれば、画像表示機器１０から情報が送信されたか否かが判断される。このＳＣ５の判断が肯定された場合、すなわち、画像表示機器（端末）１０からのアクセスがある場合には、ＳＣ６へ移る。一方、このＳＣ５の判断が否定された場合には、ＳＣ４へ移る。
【００９１】
ＳＣ６においては、画像表示機器１０からサーバ２００へ送信された情報が読み込まれる。
【００９２】
表示内容読込手段１０４に対応するＳＣ７においては、画像表示機器（端末）１０へ出力する情報（出力情報）が設定される。例えば、前記ＳＣ６にて読み込まれた情報がリンク先を指定する情報であれば、そのリンク先に対応した表示装置１４に表示させる表示内容（出力情報）が読み込まれる。すなわち、ＳＣ７では、図１７のＳＡ１と同様のことが行われる。
【００９３】
入力領域存在判断手段１１０に対応するＳＣ８においては、図１７のＳＡ２と同様であり、ＳＣ７にて設定された画像表示機器（端末）１０への出力情報から、画像表示面１８上に前記入力領域が存在するか否かが判断される。すなわち、その出力情報に前記入力領域が含まれているか否かが判断される。このＳＣ８の判断が肯定された場合、すなわち、前記入力領域が存在する場合には、ＳＣ９へ移る。一方、このＳＣ８の判断が否定された場合には、ＳＣ１１へ移る。
【００９４】
入力領域決定手段１０６に対応するＳＣ９においては、前記ブラウザ表示領域外に前記入力領域を配置するために、前記ＳＣ７の出力情報等に基づいてブラウザ表示領域が画像表示面１８の範囲内に確保される。
【００９５】
ＳＣ１０においては、前記入力領域の画像表示面１８上の配置と大きさとが前記画面角度θgに応じて変更される。具体的には、図２７のフローチャートが実行される。なお、図２７のＳＤ１〜ＳＤ６はそれぞれ図１８のＳＢ２〜ＳＢ７と同一である。そのため、ＳＤ１〜ＳＤ６の説明は省略する。
【００９６】
通信インタフェース２０６などに対応するＳＣ１１においては、画像表示機器（端末）１０に情報が発信される。例えば、前記ＳＣ１０で決定された前記入力領域に関する情報（位置、大きさ、表示画像等）、及び、前記ＳＣ７にて読み込まれた前記表示内容（出力情報）に含まれる前記ブラウザ表示領域に関する情報（位置、大きさ、表示画像等）等が画像表示機器（端末）１０に発信される。
【００９７】
ＳＣ１２においては、前記ＳＣ３にてサーバ２００へのアクセスが実行されてから予め定められた一定時間内にサーバ２００からの情報の送信があったか否かが判断される。上記一定時間は、サーバ２００と画像表示機器１０との間の通信経路の故障を判断するために実験的に定められた時間である。このＳＣ１２の判断が肯定された場合、すなわち、サーバ２００からの情報の送信があった場合には、ＳＣ１４へ移る。一方、このＳＣ１２の判断が否定された場合には上記通信経路が故障していると考えられるので、ＳＣ１３において、そのための対応がなされる。例えば、通信エラーを示すメッセージを表示装置１４に表示させる。
【００９８】
画面表示手段１０８に対応するＳＣ１４においては、前記ＳＣ１１にてサーバ２００から発信された情報に従って、その情報に含まれる画像等が表示装置１４に表示される。例えば、図２７のＳＤ５またはＳＤ６にて決定された前記入力領域に対応する画像が表示装置１４に表示される。また、上記情報に前記ブラウザ表示領域（非入力表示領域）が含まれていれば、前記入力領域に対応する画像とともに、上記ブラウザ表示領域に対応する画像も表示装置１４に表示される。すなわち、ＳＣ１４では、図１７のＳＡ４と同様のことが行われる。
【００９９】
ＳＣ１５においては、画像表示機器１０の使用を終了するか否か、すなわち、ブラウザ機能を終了するか否かが判断される。例えば、画像表示機器１０の電源をオフにする操作がなされた場合には、画像表示機器１０の使用が終了する。このＳＣ１５の判断が肯定された場合、すなわち、画像表示機器１０の使用を終了する場合には、画像表示機器１０は電源がオフにされ終了する。一方、このＳＣ１５の判断が否定された場合には、ＳＣ１６へ移る。
【０１００】
画面角度検出手段１００に対応するＳＣ１６においては、図１７のＳＡ７と同様に、画面角度θgの変更（調整）が行われたか否かが判断される。このＳＣ１６の判断が肯定された場合、すなわち、画面角度θgの変更が行われた場合には、ＳＣ２に移る。一方、このＳＣ１６の判断が否定された場合には、ＳＣ１７へ移る。
【０１０１】
表示内容更新判断手段１０２に対応するＳＣ１７においては、図１７のＳＡ６と同様に、表示装置１４に表示されている表示内容の更新が行われるか否かが判断される。すなわち、画像表示機器１０はブラウザとして機能しているので、ブラウザの内容が更新されるか否かが判断される。このＳＣ１７の判断が肯定された場合、すなわち、上記表示内容の更新が行われる場合には、ＳＣ３に移る。一方、このＳＣ１７の判断が否定された場合には、ＳＣ１５へ移る。
【０１０２】
本実施例によれば、タッチパネル１２とタッチパネル支持部２２とを有する画像表示機器１０は、前記画面角度θgを検出する画面角度検出手段１００を有しており、サーバ２００は、その画面角度検出手段１００により検出されたその画面角度θgに基づいて前記入力許容領域を決定するとともに、前記入力領域をその入力許容領域内において決定する入力領域決定手段１０６を有し且つその決定された入力領域に基づく画像をタッチパネル１２（表示装置１４）に表示させるので、前述の実施例１と同様の効果を有する。
【０１０３】
以上、本発明の好適な実施例を図面に基づいて詳細に説明したが、本発明はこれに限定されるものではなく、さらに別の態様においても実施される。
【０１０４】
たとえば、前述の実施例１においては、本体部２０にメニューボタン２６が設けられているが、このメニューボタン２６は無くてもよい。
【０１０５】
また、前述の実施例１，２のフローチャート（図１７，図１８，図２６，図２７）では、画面角度θgが変更された場合、または表示装置１４に表示されている表示内容の更新が行われる場合に、画面角度θgに基づいて前記入力領域が決定されるが、例えばその入力領域が逐次決定される制御も考え得る。
【０１０６】
また、前述の実施例１，２においては、タッチパネル１２に対する入力操作子としてスタイラスペン２８が示されているが、その入力操作子は利用者自身の指でもよい。
【０１０７】
また、前述の実施例１，２のタッチパネル１２においては、スタイラスペン２８の画像表示面１８への接触が検出されるが、その接触の検出方式によっては、スタイラスペン２８が画像表示面１８へ接触する間際まで接近した場合に、スタイラスペン２８が画像表示面１８へ接触したものと認識されるものもあるので、そのような場合には、上記のスタイラスペン２８が画像表示面１８へ接触する間際までの接近が、上記スタイラスペン２８の画像表示面１８への接触に含まれるものとする。
【符号の説明】
【０１０８】
８：載置面
１０：画像表示機器
１２：タッチパネル
１８：画像表示面
２０：本体部
２２：タッチパネル支持部
２８：スタイラスペン（入力操作子）
４２：接続部
７１：第１タッチパネル支持部（タッチパネル支持部）
７８：第２タッチパネル支持部（タッチパネル支持部）
８０：ＣＰＵ（制御装置）
１００：画面角度検出手段
１０６：入力領域決定手段
１９８：画像表示機器制御システム
２００：サーバ
【図１】
2011154479.tif 000003
【図２】
2011154479.tif 000004
【図３】
2011154479.tif 000005
【図４】
2011154479.tif 000006
【図５】
2011154479.tif 000007
【図６】
2011154479.tif 000008
【図７】
2011154479.tif 000009
【図８】
2011154479.tif 000010
【図９】
2011154479.tif 000011
【図１０】
2011154479.tif 000012
【図１１】
2011154479.tif 000013
【図１２】
2011154479.tif 000014
【図１３】
2011154479.tif 000015
【図１４】
2011154479.tif 000016
【図１５】
2011154479.tif 000017
【図１６】
2011154479.tif 000018
【図１７】
2011154479.tif 000019
【図１８】
2011154479.tif 000020
【図１９】
2011154479.tif 000021
【図２０】
2011154479.tif 000022
【図２１】
2011154479.tif 000023
【図２２】
2011154479.tif 000024
【図２３】
2011154479.tif 000025
【図２４】
2011154479.tif 000026
【図２５】
2011154479.tif 000027
【図２６】
2011154479.tif 000028
【図２７】
2011154479.tif 000029